(57)【特許請求の範囲】
【請求項１】
構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、
前記構造物の上端面上に載置される取付ベース部材と、
この取付ベース部材に取り付けられて構造物外壁面に当てられる固定フック部材と、
前記取付ベース部材に上端部がスライド可能かつ回動可能に取り付けられ構造物内壁面に当てられて前記固定フック部材と共働して構造物を挟圧し当該取付ベース部材を固定するスライドフック部材と、
前記取付ベース部材の構造物外側に分離連結可能に設けられ仮設ガイドレールを固定するレール固定用部材と、
前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、
前記取付ベース部材に分離可能に連結されたレール固定用部材を構造物内側から分離操作可能とした分離操作機構とを備えてなり、
前記取付ベース部材と前記レール固定用部材との間に、スライド移動をガイドするガイド溝とガイド溝に沿って移動するガイド板とを設けて構成し、
仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とする仮設ガイドレール用固定装置。
【請求項２】
構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、
前記構造物の上端面上に載置される取付ベース部材と、
この取付ベース部材に取り付けられて構造物外壁面に当てられる固定フック部材と、
前記取付ベース部材に上端部がスライド可能かつ回動可能に取り付けられ構造物内壁面に当てられて前記固定フック部材と共働して構造物を挟圧し当該取付ベース部材を固定するスライドフック部材と、
前記取付ベース部材の構造物外側に分離連結可能に設けられ仮設ガイドレールを固定するレール固定用部材と、
前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、
前記取付ベース部材に分離可能に連結されたレール固定用部材を構造物内側から分離操作可能とした分離操作機構とを備えてなり、
前記取付ベース部材と前記レール固定用部材との間に、スライド移動をガイドするガイド溝とガイド溝内を移動するガイドロッドとを設けて構成し、
仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とする仮設ガイドレール用固定装置。
【請求項３】
構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、
前記構造物の上端面上に載置される取付ベース部材と、
この取付ベース部材に取り付けられて構造物外壁面に当てられる固定フック部材と、
前記取付ベース部材に上端部がスライド可能かつ回動可能に取り付けられ構造物内壁面に当てられて前記固定フック部材と共働して構造物を挟圧し当該取付ベース部材を固定するスライドフック部材と、
前記取付ベース部材の構造物外側に分離連結可能に設けられ仮設ガイドレールを固定するレール固定用部材と、
前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、
前記取付ベース部材に分離可能に連結されたレール固定用部材を構造物内側から分離操作可能とした分離操作機構とを備えてなり、
前記取付ベース部材と前記レール固定用部材との分離操作機構を、前記取付ベース部材に支持された構造物内側からのボルトと、前記レール固定用部材に設けたナットとで構成し、
仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とする仮設ガイドレール用固定装置。
【請求項４】
前記取付ベース部材と前記レール固定用部材との分離操作機構を、前記取付ベース部材に支持された構造物内側からのボルトと、前記レール固定用部材に設けたナットとで構成したことを特徴とする請求項１または２に記載の仮設ガイドレール用固定装置。
【請求項５】
前記分離操作機構を、分離された前記取付ベース部材と前記レール固定用部材とをスライド移動状態で固定可能に構成したことを特徴とする請求項３または４に記載の仮設ガイドレール用固定装置。
【請求項６】
前記構造物の内外から操作可能な挟圧固定機構が、前記取付ベース部材に支持されるボルトと、スライドフック部材に取り付けられるナットとで構成され、前記ボルトの先端側に操作部が形成されて内側から操作可能に構成されていることを特徴とする請求項１〜５のいずれかに記載の仮設ガイドレール用固定装置。
【請求項７】
前記取付ベース部材が載置され固定フック部材とスライドフック部材とで挟圧固定する構造物がベランダの外側突出壁部であり、前記取付ベース部材および前記スライドフック部材が当該外側突出壁部とベランダ柵との隙間から設置可能に構成されていることを特徴とする請求項１〜６のいずれかに記載の仮設ガイドレール用固定装置。
【請求項８】
前記レール固定用部材で固定される仮設ガイドレールが金属ガイドレールまたは張設された索条ガイドレールのいずれかで構成されることを特徴とする請求項１〜７のいずれかに記載の仮設ガイドレール用固定装置。
【発明の詳細な説明】
【技術分野】
【０００１】
この発明は仮設ガイドレール用固定装置に関し、作業床を備えるゴンドラを昇降しながら構造物側面に対して作業を行う場合の揺れなどを防止できるようにしたもので、ベランダと柵の隙間から簡単に仮設して安定して作業を行うことができるとともに、簡単に移動して取付部分への作業もできるようにしたもので、特にマンションなどの集合住宅での作業に好適なものである。
【背景技術】
【０００２】
建築物などの構造物における窓清掃や外壁面の保守点検作業などを効率的に行う場合に、仮設足場を設置して作業を行うのに替え、構造物の上部から吊りロープを垂下して設け、この吊りロープを介して、いわゆるゴンドラと称する有人作業用のケージ（作業床）を昇降可能に吊り下げて仮設し、この作業用のケージに作業者が搭乗して作業を行うようにする仮設ゴンドラ装置を用いることが行なわれている。
【０００３】
このような仮設ゴンドラ装置による作業では、作業用のケージが吊りロープで吊り下げられるため揺れが生じ、壁面に対する作業に伴う反力により揺れが助長され、作業がやり難い。
そこで、高層ビルなどでは、予めビルを構築する際に、壁面にガイドレールを設置しておき、作業用のケージに設けたガイドローラをガイドレールに沿って転動させて昇降することで揺れを防止することが行なわれる場合も多いが、中低層ビルやマンションなどの集合住宅では、ガイドレールが設置されていない場合も多く、例えば特許文献1に開示されているような壁面に吸着させる真空吸着パッドなどを用いて仮設ゴンドラ装置の有人作業用のケージとワイヤロープやアーム機構などで連結することで、揺れを防止することが行なわれている。
【０００４】
また、ガイドレールを構造物の壁面に沿って仮設することも行われており、図１０に示すように、ガイドレールＲを両側から挟んでボルト・ナット１で締め付けることができるレール固定金具２を、所定の間隔で植設したアンカーボルト３で固定するようにすることが行われており、集合住宅では、各階のベランダにアンカーボルト３を植設してレール固定金具２を設置することが行われている。
【先行技術文献】
【特許文献】
【０００５】
【特許文献１】実開平５―３０３３８号公報
【発明の概要】
【発明が解決しようとする課題】
【０００６】
ところが、構造物の壁面に吸着させる真空吸着パッドを用いて作業用のケージの揺れを防止する場合には、これらの間を連結するワイヤロープを長くすると、作業用のケージの揺れを有効に防止することができなくなり、このワイヤロープを短くして揺れを防止しやすくしたり、特許文献１のようにアーム機構とすると、真空吸着パッドを吸着させた状態で作業できる範囲が限定され、たびたび真空吸着パッドの盛り替えをしなければならず、作業効率が悪いという問題がある。
また、構造物にアンカーボルト３を植設してガイドレールＲを仮設する場合には、ガイドレールＲを撤去するとアンカーボルト３の痕が残り、この部分の補修が必要となるとともに、塗装工事の場合には、レール固定金具２の部分の塗り残しが発生し、この部分の工事をガイドレールを撤去後に行う必要があり、ガイドレールのない状態での作業となるという問題がある。
この発明は、上記従来技術が有する課題に鑑みてなされたもので、簡単にガイドレールを仮設でき、撤去後に補修などの作業の必要がなく、しかも集合住宅のベランダと柵との隙間などを利用して外側から設置することができるとともに、ベランダ内側から移動して工事を行うこともできる仮設ガイドレール用固定装置を提供しようとするものである。
【課題を解決するための手段】
【０００７】
上記課題を解決するためこの発明の請求項１にかかる仮設ガイドレール用固定装置は、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との間に、スライド移動をガイドするガイド溝とガイド溝に沿って移動するガイド板とを設けて構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とするものである。
【０００８】
この発明の請求項２にかかる仮設ガイドレール用固定装置は、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との間に、スライド移動をガイドするガイド溝とガイド溝内を移動するガイドロッドとを設けて構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とするものである。
【０００９】
この発明の請求項３にかかる仮設ガイドレール用固定装置は、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との分離操作機構を、前記取付ベース部材に支持された構造物内側からのボルトと、前記レール固定用部材に設けたナットとで構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したことを特徴とするものである。
【００１０】
この発明の請求項４にかかる仮設ガイドレール用固定装置は、請求項１または２に記載の構成に加え、前記取付ベース部材と前記レール固定用部材との分離操作機構を、前記取付ベース部材に支持された構造物内側からのボルトと、前記レール固定用部材に設けたナットとで構成したことを特徴とするものである。
【００１１】
この発明の請求項５にかかる仮設ガイドレール用固定装置は、請求項３または４に記載の構成に加え、前記分離操作機構を、分離された前記取付ベース部材と前記レール固定用部材とをスライド移動状態で固定可能に構成したことを特徴とするものである。
【００１２】
この発明の請求項６にかかる仮設ガイドレール用固定装置は、請求項１〜５のいずれかに記載の構成に加え、前記構造物の内外から操作可能な挟圧固定機構が、前記取付ベース部材に支持されるボルトと、スライドフック部材に取り付けられるナットとで構成され、前記ボルトの先端側に操作部が形成されて内側から操作可能に構成されていることを特徴とするものである。
【００１３】
この発明の請求項７にかかる仮設ガイドレール用固定装置は、請求項１〜６のいずれかに記載の構成に加え、前記取付ベース部材が載置され固定フック部材とスライドフック部材とで挟圧固定する構造物がベランダの外側突出壁部であり、前記取付ベース部材および前記スライドフック部材が当該外側突出壁部とベランダ柵との隙間から設置可能に構成されていることを特徴とするものである。
【００１４】
この発明の請求項８にかかる仮設ガイドレール用固定装置は、請求項１〜７のいずれかに記載の構成に加え、前記レール固定用部材で固定される仮設ガイドレールが金属ガイドレールまたは張設された索条ガイドレールのいずれかで構成されることを特徴とするものである。
【発明の効果】
【００１５】
この発明の請求項１にかかる仮設ガイドレール用固定装置によれば、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との間に、スライド移動をガイドするガイド溝とガイド溝に沿って移動するガイド板とを設けて構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したので、固定フック部材が設けられた取付ベース部材のスライドフック部材を水平状態として取付ベース部材ごと構造物外側から押し込み、構造物の内壁面を越えた内側で自重で回動させて垂下状態とし、垂下状態の当該スライドフック部材を挟圧固定機構で引き寄せて構造物を挟圧して取付ベース部材を固定することができる。そして、この取付ベース部材にレール固定用部材を分離操作機構を介して固定するとともに、レール固定用部材にガイドレールを固定することで、アンカーボルトを使用することなく構造物にガイドレールを設置することができ、ガイドレール撤去後の補修などの必要もない。
また、仮設ガイドレールを挟圧固定状態のままのレール固定用部材と取付ベース部材との連結を分離操作機構を構造物の内側から操作して分離することおよびスライドフック部材の挟圧固定機構による挟圧固定を構造物内側から操作して解放することで、レール固定用部材をガイドレールに支持したままとしておき、固定フック部材およびスライドフック部材ごと取付ベース部材を構造物上端面上でスライド移動することができ、これらの部材で覆われていた構造物部分を露出させることができ、必要な作業を行うことができる。
一方、固定フック部材およびスライドフック部材ごと取付ベース部材を構造物上端面上で逆方向にスライド移動した後、分離操作機構で連結するとともに、挟圧固定機構で挟圧固定することで、ガイドレールを仮設状態に簡単に復旧することができる。
これにより、構造物の外側での作業と内側での作業を、ガイドレールを仮設した状態で並行して進めることも可能となるとともに、ガイドレール撤去後の補修などの作業の必要もなくすことができる。
また、取付ベース部材とレール固定用部材との間にガイド溝とガイド板を設けてガイドさせてスライド移動することで、取付ベース部材をスライドさせて作業を行った後の復旧のための逆方向へのスライド移動がスムーズにでき、短時間に構造物内側からガイドレールを仮設状態に復旧することができる。
【００１６】
この発明の請求項２にかかる仮設ガイドレール用固定装置によれば、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との間に、スライド移動をガイドするガイド溝とガイド溝内を移動するガイドロッドとを設けて構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したので、固定フック部材が設けられた取付ベース部材のスライドフック部材を水平状態として取付ベース部材ごと構造物外側から押し込み、構造物の内壁面を越えた内側で自重で回動させて垂下状態とし、垂下状態の当該スライドフック部材を挟圧固定機構で引き寄せて構造物を挟圧して取付ベース部材を固定することができる。そして、この取付ベース部材にレール固定用部材を分離操作機構を介して固定するとともに、レール固定用部材にガイドレールを固定することで、アンカーボルトを使用することなく構造物にガイドレールを設置することができ、ガイドレール撤去後の補修などの必要もない。
また、仮設ガイドレールを挟圧固定状態のままのレール固定用部材と取付ベース部材との連結を分離操作機構を構造物の内側から操作して分離することおよびスライドフック部材の挟圧固定機構による挟圧固定を構造物内側から操作して解放することで、レール固定用部材をガイドレールに支持したままとしておき、固定フック部材およびスライドフック部材ごと取付ベース部材を構造物上端面上でスライド移動することができ、これらの部材で覆われていた構造物部分を露出させることができ、必要な作業を行うことができる。
一方、固定フック部材およびスライドフック部材ごと取付ベース部材を構造物上端面上で逆方向にスライド移動した後、分離操作機構で連結するとともに、挟圧固定機構で挟圧固定することで、ガイドレールを仮設状態に簡単に復旧することができる。
これにより、構造物の外側での作業と内側での作業を、ガイドレールを仮設した状態で並行して進めることも可能となるとともに、ガイドレール撤去後の補修などの作業の必要もなくすことができる。
また、取付ベース部材とレール固定用部材との間にガイド溝とガイドロッドを設けてガイドさせてスライド移動することで、取付ベース部材を取付部分への作業のためにスライド移動させる場合や、スライド移動させて作業を行った後の復旧のための逆方向へのスライド移動がスムーズにでき、短時間に構造物内側から取付部分への作業やガイドレールの仮設状態への復旧ができる。
【００１７】
この発明の請求項３にかかる仮設ガイドレール用固定装置によれば、構造物の上部から垂下された吊下げ用索条により作業床を備えるゴンドラを昇降可能に吊り下げ、当該ゴンドラの揺れを防止するよう前記構造物側面に沿ってガイドする仮設ガイドレール用固定装置であって、前記構造物の上端面上に載置される取付ベース部材と、この取付ベース部材に取り付けられて構造物外壁面に当てられる固定フック部材と、前記取付ベース部材に上端部がスライド可能かつ回動可能に取り付けられ構造物内壁面に当てられて前記固定フック部材と共働して構造物を挟圧し当該取付ベース部材を固定するスライドフック部材と、前記取付ベース部材の構造物外側に分離連結可能に設けられ仮設ガイドレールを固定するレール固定用部材と、前記スライドフック部材を前記取付ベース部材ごと構造物外側から押し込んで内壁面を越えた内側で垂下可能に構成するとともに、垂下状態の当該スライドフック部材を引き寄せて構造物を挟圧するとともに、構造物の内外から操作可能な挟圧固定機構と、前記取付ベース部材に分離可能に連結されたレール固定用部材を構造物内側から分離操作可能とした分離操作機構とを備えてなり、前記取付ベース部材と前記レール固定用部材との分離操作機構を、前記取付ベース部材に支持された構造物内側からのボルトと、前記レール固定用部材に設けたナットとで構成し、仮設ガイドレールを挟圧固定状態のままのレール固定用部材と取付ベース部材との連結を前記分離操作機構を構造物の内側から操作して分離するとともに、スライドフック部材の挟圧固定機構による挟圧固定を構造物内側から操作して解放し固定フック部材およびスライドフック部材ごと取付ベース部材を構造物上端面上でスライド移動可能に構成したので、固定フック部材が設けられた取付ベース部材のスライドフック部材を水平状態として取付ベース部材ごと構造物外側から押し込み、構造物の内壁面を越えた内側で自重で回動させて垂下状態とし、垂下状態の当該スライドフック部材を挟圧固定機構で引き寄せて構造物を挟圧して取付ベース部材を固定することができる。そして、この取付ベース部材にレール固定用部材を分離操作機構を介して固定するとともに、レール固定用部材にガイドレールを固定することで、アンカーボルトを使用することなく構造物にガイドレールを設置することができ、ガイドレール撤去後の補修などの必要もない。
また、仮設ガイドレールを挟圧固定状態のままのレール固定用部材と取付ベース部材との連結を分離操作機構を構造物の内側から操作して分離することおよびスライドフック部材の挟圧固定機構による挟圧固定を構造物内側から操作して解放することで、レール固定用部材をガイドレールに支持したままとしておき、固定フック部材およびスライドフック部材ごと取付ベース部材を構造物上端面上でスライド移動することができ、これらの部材で覆われていた構造物部分を露出させることができ、必要な作業を行うことができる。
一方、固定フック部材およびスライドフック部材ごと取付ベース部材を構造物上端面上で逆方向にスライド移動した後、分離操作機構で連結するとともに、挟圧固定機構で挟圧固定することで、ガイドレールを仮設状態に簡単に復旧することができる。
これにより、構造物の外側での作業と内側での作業を、ガイドレールを仮設した状態で並行して進めることも可能となるとともに、ガイドレール撤去後の補修などの作業の必要もなくすことができる。
また、分離操作機構のボルトを利用することで、簡単に構造物内側から操作することができ、特に、ガイド溝とガイド板とでガイドできるようにした場合には、万一、ボルトの締め忘れがあっても、ある程度の拘束状態を確保してガイドレールを機能させることができる。
【００１８】
この発明の請求項４にかかる仮設ガイドレール用固定装置によれば、前記取付ベース部材と前記レール固定用部材との分離操作機構を、前記取付ベース部材に支持された構造物内側からのボルトと、前記レール固定用部材に設けたナットとで構成したので、ボルトを利用することで、簡単に構造物内側から操作することができ、特に、ガイド溝とガイド板とでガイドできるようにした場合には、万一、ボルトの締め忘れがあっても、ある程度の拘束状態を確保してガイドレールを機能させることができる。
【００１９】
この発明の請求項５にかかる仮設ガイドレール用固定装置によれば、前記分離操作機構を、分離された前記取付ベース部材と前記レール固定用部材とをスライド移動状態で固定可能に構成したので、分離操作機構に設けたスライド移動後の固定機能により、スライド移動状態で取付ベース部材とレール固定用部材とを固定することができ、ある程度の拘束状態を確保してガイドレールを機能させることができるとともに、取付ベース部材もある程度の拘束状態にしておくことができ、安全に作業することができる。
【００２０】
この発明の請求項６にかかる仮設ガイドレール用固定装置によれば、前記構造物の内外から操作可能な挟圧固定機構が、前記取付ベース部材に支持されるボルトと、スライドフック部材に取り付けられるナットとで構成され、前記ボルトの先端側に操作部が形成されて内側から操作可能に構成されているので、ボルトの頭部を利用して構造物の外側から簡単に挟圧固定することができる一方、内側からは操作部を、例えば孔とこれに装着する専用工具等で構成しておくことで、簡単には、内側から操作できないようにして安全を確保しながら必要な場合には、挟圧固定を解放することできる。
【００２１】
この発明の請求項７にかかる仮設ガイドレール用固定装置によれば、前記取付ベース部材が載置され固定フック部材とスライドフック部材とで挟圧固定する構造物がベランダの外側突出壁部であり、前記取付ベース部材および前記スライドフック部材が当該外側突出壁部とベランダ柵との隙間から設置可能に構成されているので、集合住宅のベランダとベランダ柵との隙間を利用してガイドレールの固定ができるとともに、内側からの作業も固定による影響を受けずにスライド移動して行うことができる。
【００２２】
この発明の請求項８にかかる仮設ガイドレール用固定装置によれば、前記レール固定用部材で固定される仮設ガイドレールが金属ガイドレールまたは張設された索条ガイドレールのいずれかで構成されるので、ガイドレールが金属ガイドレールであっても張力を加えて設置した索条ガイドレールであっても簡単に設置することができるとともに、必要な場合には、ガイドレールをそのままにして固定部分をスライドさせて支障なく構造物への作業を行うことができる。
【図面の簡単な説明】
【００２３】
【図１】この発明の仮設ガイドレール用固定装置の一実施の形態にかかる全体の正面図および平面図である。
【図２】この発明の仮設ガイドレール用固定装置の一実施の形態にかかる全体の左側面図である。
【図３】この発明の仮設ガイドレール用固定装置の一実施の形態にかかる主要部分の外観斜視図である。
【図４】この発明の仮設ガイドレール用固定装置の一実施の形態にかかるベランダへの設置工程の説明図である。
【図５】この発明の仮設ガイドレール用固定装置の一実施の形態にかかるスライド移動工程の説明する平面図である。
【図６】この発明の仮設ガイドレール用固定装置の一実施の形態にかかるスライド移動状態の正面図および平面図である。
【図７】この発明の仮設ガイドレール用固定装置の他の一実施の形態にかかる全体の正面図および平面図である。
【図８】この発明の仮設ガイドレール用固定装置の他の一実施の形態にかかる全体の左側面図である。
【図９】この発明の仮設ガイドレール用固定装置の他の一実施の形態にかかる主要部分の外観斜視図である。
【図１０】従来の仮設ガイドレール用の固定装置にかかる正面図および左側面図である。
【発明を実施するための形態】
【００２４】
以下、この発明の一実施の形態を図面を参照して詳細に説明する。  
この仮設ガイドレール用固定装置１０は、構造物である建築物の屋上などの上部から吊下げたワイヤロープを介して作業用ケージ（作業床）を昇降させ、作業用ケージ内から外壁の清掃や保守、あるいは窓の清掃など壁面（構造物側面）に対する作業を行うゴンドラ装置において、作業用ケージなどの作業床の揺れを防止するため、壁面に対する作業用ケージの作業範囲に、例えばＨ型鋼などで構成した２本の金属ガイドレールＲを仮設する場合に用いるものであり、構造物の各階のベランダＢに設置される。そして、この仮設ガイドレールＲに、作業用ケージに設けた左右１対のローラ式のガイド部材を転動可能に装着して昇降させ、壁面に対する左右および前後の揺れを防止するようガイドするためのものである。
【００２５】
なお、この仮設ガイドレール用固定装置１０でガイドする作業床を備えたゴンドラとしては、屋上から垂下するワイヤロープに沿って作業用ケージ内に設けたエンドレス方式の巻上機の巻き掛け位置を移動することで昇降させるゴンドラ装置に適用する場合に限らず、屋上側にドラム方式など巻上機を備えて昇降するものやワイヤロープを屋上の台車に固定して移動可能とした台車式や固定式の支持装置でワイヤロープを支持するもの、あるいは仮設の横行レールを介してワイヤロープごと横移動も可能としたものなど、ガイドレールを用いて揺れを防止する必要があるものに広く適用できる。
【００２６】
この仮設ガイドレール用固定装置１０は、ベランダＢの床の外側突出壁部Ｂ１とこの外側突出壁部Ｂ１上に設置されるベランダ柵Ｂ２との隙間を利用してベランダＢの外側から設置するための取付ベース部材１１を備えており、図３に示すように、構造物の上端面となるベランダＢ上に載置されるベース本体１２を備え、水平板１２ａの幅方向２箇所に間隔をあけて垂直なアーム板１２ｂ，１２ｂがベランダの厚さよりも長くベランダ内側に突き出すように平行に配置されて溶接などで取り付けてあり、各アーム板１２ｂ、１２ｂには、ベランダ壁の厚さよりも先端側に位置する部分にそれぞれガイド用長穴１２ｃ、１２ｃが形成してある。
【００２７】
この取付ベース部材１１のベース本体１２の水平板１２ａの構造物外側の下面には、構造物外壁面であるベランダ外壁面に当てる固定フック部材１３が溶接などで固定してあり、例えば中空角パイプが用いられて各開口部を補強板で塞ぐなどで補強され、ここでは、取付ベース部材１１のアーム板１２ｂ，１２ｂの間隔と略等しい垂直部１３ａとその下端の水平部１３ｂとでＴ字状になっている。
【００２８】
この固定フック部材１３と対向して構造物内壁面であるベランダ内壁面に当ててスライドさせて締め付けることで挟圧するスライドフック部材１４は、断面略Ｕ字状に形成されて底面部背面がベランダ内壁側とされ、先端部が補強板１４ａで塞がれる一方、基端部には、Ｕ字部分の内側にスライドブロック１４ｂが溶接など取り付けてある。このスライドブロック１４ｂには、両側に取付ベース部材１１のアーム板１２ｂ，１２ｂのガイド用長穴１２ｃ，１２ｃ内をスライドするとともに、回動可能とするため六角穴付きのキャップボルト１４ｃ，１４ｃが取り付けてあり、ボルト頭部がガイド用長穴１２ｃ，１２ｃ内に位置するように取り付けられる。また、このスライドブロック１４ｂには、ガイド用長穴１２ｃ，１２ｃ内でキャップボルト１４ｃ，１４ｃを中心に垂直下方に回動した垂下状態のときに水平にスライドフック部材１４とスライドブロック１４ｂを貫通して貫通孔が形成され雌ねじ１４ｄが形成してある。
なお、六角穴付きのキャップボルト１４ｃ，１４ｃに替えて、通常の六角ボルトを用いてガイド用長穴１２ｃ，１２ｃの外側からスライドおよび回動ができるように締め付けても良い。
【００２９】
このような取付ベース部材１１のベース本体１２の平行なアーム板１２ｂ，１２ｂのスライド用長穴１２ｃ，１２ｃに基端部のキャップボルト１４ｃ，１４ｃが装着されてスライドおよび回動が可能なスライドフック部材１４には、スライドフック部材１４を引き寄せて構造物を挟圧して取付ベース部材１１を固定する挟圧固定機構１５が設けられる。
【００３０】
この挟圧固定機構１５は、取付ベース部材１１に支持される挟圧固定用ボルト１５ａとスライドフック部材１４のスライドブロック１４ｂに設けた挟圧固定用ナット１５ｂとなる雌ねじ１４ｄとで構成され、挟圧固定用ボルト１５ａの六角のボルト頭部がベース本体１２の水平板１２ａの内側に位置するよう支持板１５ｃがアーム板１２ｂ，１２ｂ間に溶接されるとともに、水平板１２ａの先端部にもうひとつの支持板１５ｄが溶接されており、これらを貫通してアーム板１２ｂ，１２ｂと平行に配置されている。そして、この挟圧固定用ボルト１５ａの先端部には、ボルト先端側からも挟圧固定用ボルト１５ａを操作できるようにするため操作部１５ｅが設けられ、例えば、軸方向と直交して貫通する操作孔が形成され、操作孔に操作棒を挿入することで、ボルトを回転することができるようにしてある。
また、２つの支持板１５ｃ，１５ｄの間に位置する挟圧固定用ボルト１５ａには、抜け落ち防止用のスプリングピン１５ｆが取り付けてある。
なお、挟圧固定用ボルト１５ａの抜け落ち防止は、スプリングピンによらず、他の方法でも良く、例えば先端部側の支持板１５ｃに雌ねじを形成し、挟圧固定用ボルト１５ａの基端側には、雄ねじを形成せず、中間部より先端部側に雄ねじを形成し、この雄ねじを支持板１５ｃの雌ねじにねじ込むことで抜け止めとすることもできる。
【００３１】
このような取付ベース部材１１は、ベース本体１２のアーム板１２ｂ，１２ｂのスライド用長穴１２ｃ，１２ｃに基端部のキャップボルト１４ｃ，１４ｃが装着されてスライドおよび回動が可能なスライドフック部材１４を水平状態としてベランダの外側からベランダＢの外側突出壁部Ｂ１とベランダ柵Ｂ２との隙間から押し込むようにすると、ベランダＢの外側突出壁部Ｂ１をキャップボルト１４ｃ，１４ｃが越えたところで、スライドフック部材１４が自重で回動し、垂下した状態となって取付ベース部材１１に固定した固定フック部材１３と対向する状態となる。
この状態で、挟圧固定用ボルト１５ａを押し込んで先端部をスライドフック部材１４のスライドブロック１４ｂの雌ねじ１４ｄにねじ込んだ後、挟圧固定用ボルト１５ａを回転することで、スライドフック部材１４を引き寄せ、固定フック部材１３とで構造物であるベランダＢの外側突出壁部Ｂ１を強固に挟むようにし、取付ベース部材１１を構造物であるベランダＢの外側突出壁部Ｂ１に固定することができる。
【００３２】
この仮設ガイドレール用固定装置１０では、取付ベース部材１１にガイドレールＲを固定するためレール固定用部材１６が備えられ、このレール固定用部材１６は、取付ベース部材１１とは分離連結可能に設けられ、このための分離操作機構１７が備えられるとともに、ガイドレールＲを固定した状態でレール固定用部材１６を分離させ、取付ベース部材１１をスライド移動して本来の固定位置から退避させるためのガイド機構１８が備えられている。
【００３３】
まず、レール固定用部材１６は矩形の固定用板１６ａの下端角部が切り欠かれた形状とされ、中心部に仮設ガイドレールの形式に応じたガイドレール用金具を取り付けるスタッドボルト１６ｂが垂直に突き出すように溶接してあり、このスタッドボルト１６ｂの上部の固定用板１６ａには、上方に開口した矩形の切欠き部１６ｃが形成され、挟圧固定用ボルト１５ａを引き出すことができるようにしてある。また、固定用板１６ａのスタッドボルト１６ｂの両側には、ガイドレールを取り付けるガイドレール用金具の位置決め用突片１６ｄが平行に溶接してあり、２つの位置決め用突片１６ｄ、１６ｄの間にガイドレール用金具１９が装着されて位置決めされ、スタットボルト１６ｂにナット１６ｅで締め付けられて固定される。
【００３４】
このようなレール固定用部材１６の固定用板１６ａを取付ベース部材１１に取り付けるとともに、スライド移動させるため、ガイド機構１８として、アーム板１２ｂ，１２ｂの構造物の外側に鉤状に突き出して上部ガイド部材１８ａと下部ガイド部材１８ｂとが上下に対向して設けられ、上下ガイド部材１８ａ，１８ｂの内側に上下方向のガイド溝１８ｃが固定フック部材１３の外面と一致させて形成してあり、このガイド溝１８ｃにレール固定用部材１６の固定用板１６ａを装着することで、固定用板１６ａがガイド板となって構造物の外壁面（ベランダＢの外側突出壁部Ｂ１の外面）と平行な平面に沿って水平方向にスライドさせることができる。
【００３５】
また、このレール固定部材１６を取付ベース部材１１に分離可能に連結固定するための分離操作機構１７として、ベース本体１２のアーム板１２ｂ，１２ｂの外側に上方が開口したコ字状の支持部材１７ａが構造物の内外方向に溶接などで取り付けられ、内外の端版１７ｂに貫通孔が形成されて構造物内側からボルト１７ｃが装着されるようになっている。なお、ここでは、ボルト１７ｃによる操作を容易とするため蝶ボルトが用いてある。
これら２本のボルト１７ｃ，１７ｃがねじ込まれる雌ねじ１７ｄがレール固定部材１６の固定用板１６ａに形成してある。
これにより、レール固定用部材１６の固定用板１６ａをガイド溝１８ｃに装着した状態で２本のボルト１７ｃ，１７ｃで締め付けることで、レール固定用部材１６を取付ベース部材１１に連結固定状態にでき、構造物の内側であるベランダＢ内からは、ボルト１７ｃ，１７ｃを回して固定用板１６ａの雌ねじ１７ｄから外す操作を行うことで、取付ベース部材１１とレール固定用部材１６とを分離状態にすることができる。
【００３６】
この仮設ガイドレール用固定装置１０では、ガイドレールＲとして、例えばＨ型鋼で構成した金属ガイドレールＲを用いることから、ガイドレール用金具１９として、左右に２分割とされた締付け金具１９ａ，１９ｂを備え、Ｈ型鋼の構造物側のフランジ部を両側から挟んでボルト１９ｃで締め付けることでガイドレールＲを挟むとともに、一方の締付け金具１９ａをレール固定用部材１６のスタッドボルト１６ｂに締め付けてナット１６ｅで固定するようにしている。
【００３７】
なお、張力を加えたロープなどの索条によるガイドロープを索条ガイドレールとして用いる場合は、ガイドロープを挟んだ固定すると同時に、ゴンドラ側のガイドローラが乗り越えて昇降できるガイドレール用金具を使用する。
【００３８】
次に、このように構成した仮設ガイドレール用固定装置１０を用いて行うガイドレールの固定について説明する。
まず、仮設ガイドレール用固定装置１０として，図４（ａ）に示すように、固定フック部材１３が溶接などで一体に取り付けてある取付ベース部材１１にレール固定用部材１６を分離操作機構１７のボルト１７ｃ，１７ｃで締め付けて組立て連結固定状態とするとともに、このレール固定用部材１６のスタッドボルト１６ｂにガイドレール用金具１９をナット１６ｅで締め付けて固定しておく。
【００３９】
そして、挟圧固定機構１５の挟圧固定用ボルト１５ａをスライドフック部材１４の雌ねじ１４ｄである挟圧固定用ナット１５ｂから外した状態とし、スライドフック部材１４をキャップボルト１４ｃを中心に回動してアーム板１２ｂ，１２ｂのガイド用長穴１２ｃ，１２ｃの先端部分内で水平状態にする。
【００４０】
この後、スライドフック部材１４の先端をベランダＢの外側突出壁部Ｂ１とベランダ柵Ｂ２との隙間から外側突出壁部Ｂ１の上面を滑らすように押し込む。
そして、スライドフック部材１４の回動中心であるキャップボルト１４ｃが外側突出壁部Ｂ１を越えると、図４（ｂ）に示すように、自重で回動して先端部が下方に位置する垂下した状態となり、スライドフック部材１４の基端のスライドブロック１４ｂも９０度回動して雌ねじ１４ｄが水平方向となる。
【００４１】
そこで、このスライドフック部材１４が垂下した状態で、挟圧固定機構１５の挟圧固定用ボルト１５ａを取付ベース部材１１の２つの支持板１５ｃ，１５ｄを貫通させて差し込んで挟圧固定用ナット１５ｂであるスライドブロック１４ｂの雌ねじ１４ｄにねじ込み、さらに挟圧固定用ボルト１５ａを回転してスライドフック部材１４を引き寄せるようにし、固定フック部材１３とスライドフック部材１４とでベランダＢの外側突出壁部Ｂ１を強固に挟んで取付ベース部材１１をベランダＢに固定する。
【００４２】
この後、ガイドレール用金具１９のボルト１９ｃを弛めて締付け金具１９ａ，１９ｂの間隔を広げてガイドレールＲを挟んだ後、ボルト１９ｃを締め付けることでベランダＢへのガイドレールＲの固定が完了する。
【００４３】
このような作業を各階のベランダＢに仮設ガイドレール用固定装置１０を設置してガイドレールＲを固定することを繰り返すことで、構造物へのガイドレールＲの仮設が完了することになる。
【００４４】
このようなガイドレールＲを仮設ガイドレール用固定装置１０で設置した状態で構造物に対して作業を行うが、例えばベランダＢの塗装工事などを行う場合、外側突出壁部Ｂ１の仮設ガイドレール用固定装置１０の設置部分への作業が不能となる。
そこで、ベランダＢ内から次のようにして仮設ガイドレール用固定装置１０のスライド移動を行う。
【００４５】
取付ベース部材１１を挟圧固定している挟圧固定機構１５の挟圧固定用ボルト１５ａの先端部の操作部を構成する操作孔１５ｅに操作棒などの専用工具を挿してスライドフック部材１４を戻すように回転して弛め、固定フック部材１３とスライドフック部材１４による挟圧状態を解放する。
【００４６】
次に、分離操作機構１７の２本のボルト１７ｃ，１７ｃを回してレール固定用部材１６の固定用板１６ａの雌ねじ１７ｄから外れるようにし、取付ベース部材１１とレール固定用部材１６との連結を分離する。
すると、レール固定用部材１６がガイドレール用金具１９を介してガイドレールＲ側に支持された状態となる。
【００４７】
この状態で、取付ベース部材１１側をベランダＢの外側突出壁部Ｂ１の上面に沿って横にスライドさせ、図６に示すように、未施工部分が露出するようにする。
【００４８】
こうして取付ベース部材１１、固定フック部材１３およびスライドフック部材１４で覆われていた部分に必要な工事を行った後、スライド移動と逆の手順で取付ベース部材１１などを締め付け、レール固定用部材１６を連結することでガイドレールＲを仮設した状態に復旧することができる。
【００４９】
この仮設ガイドレール用固定装置１０によれば、固定フック部材１３が設けられた取付ベース部材１１のスライドフック部材１４を水平状態として取付ベース部材１１ごと構造物Ｂの外側から押し込み、構造物Ｂの内壁面を越えた内側で自重で回動させて垂下状態とし、垂下状態のスライドフック部材１４を挟圧固定機構１５で引き寄せて構造物Ｂを挟圧して取付ベース部材１１を固定することができる。
そして、この取付ベース部材１１にレール固定用部材１６を分離操作機構１７を介して固定するとともに、レール固定用部材１６にガイドレールＲを固定することで、アンカーボルトを使用することなく構造物ＢにガイドレールＲを設置することができ、ガイドレール撤去後の補修などの必要をなくすことができる。
【００５０】
また、仮設ガイドレールＲを挟圧固定状態のままのレール固定用部材１６と取付ベース部材１１との連結を分離操作機構１７を構造物Ｂの内側から操作して分離することおよびスライドフック部材１４の挟圧固定機構１５による挟圧固定を構造物Ｂの内側から操作して解放することで、レール固定用部材１６をガイドレールＲに支持したままとしておき、固定フック部材１３およびスライドフック部材１４ごと取付ベース部材１１を構造物Ｂの上端面上でスライド移動することができ、これらの部材で覆われていた構造物Ｂ部分を露出させることができ、ゴンドラなどの作業と並行して構造物内で必要な作業を行うことができる。
【００５１】
一方、固定フック部材１３およびスライドフック部材１４ごと取付ベース部材１１を構造物Ｂの上端面上で逆方向にスライド移動した後、分離操作機構１７で連結するとともに、挟圧固定機構１５で挟圧固定することで、ガイドレールＲを仮設状態に簡単に復旧することができる。
【００５２】
これにより、構造物Ｂの外側での作業と内側での作業を、ガイドレールＲを仮設した状態で並行して進めることも可能となるとともに、ガイドレールＲの撤去後の補修などの作業の必要もなくすことができる。
【００５３】
この仮設ガイドレール用固定装置１０によれば、取付ベース部材１１とレール固定用部材１６との間にガイド溝１８ｃとガイド板１６ａを設けてガイドさせてスライド移動することで、取付ベース部材１１をスライドさせて作業を行った後の復旧のための逆方向へのスライド移動がスムーズにでき、短時間に構造物Ｂの内側からガイドレールＲを仮設状態に復旧することができる。
【００５４】
この仮設ガイドレール用固定装置１０によれば、挟圧固定用ボルト１５ａの頭部を利用して構造物Ｂの外側から簡単に挟圧固定することができる一方、内側からは操作部１５ｅを、例えば操作孔とこれに装着する専用工具等で構成しておくことで、簡単には、内側から操作できないようにして安全を確保しながら必要な場合には、挟圧固定を解放することできる。
【００５５】
この仮設ガイドレール用固定装置１０によれば、分離操作機構１７としてボルト１７ｃを利用することで、簡単に構造物Ｂの内側から操作することができ、特に、ガイド溝１８ｃとガイド板１６ａとでガイドできるようにしたガイド機構１８を備えた場合には、万一、ボルト１７ｃの締め忘れがあっても、ある程度の拘束状態を確保してガイドレールＲによる振れ止め機能を発揮させることができる。
【００５６】
この仮設ガイドレール用固定装置１０によれば、集合住宅のベランダＢとベランダ柵Ｂ２との隙間を利用してガイドレールＲの固定ができるとともに、内側からの作業も固定による影響を受けずにスライド移動して行うことができる。
【００５７】
この仮設ガイドレール用固定装置１０によれば、ガイドレールＲが金属ガイドレールであっても張力を加えて設置した索条ガイドレールであっても簡単に設置することができるとともに、必要な場合には、ガイドレールＲをそのままにして固定部分１１などをスライドさせて支障なく作業を行うことができる。
【００５８】
次に、この発明の仮設ガイドレール用固定装置の他の一実施の形態について、図７〜図９に基づき説明するが、すでに説明した実施の形態との相違部分を説明し、同一部分には、同一記号を記し、重複する説明は省略する。
この仮設ガイドレール用固定装置１０Ａでは、スライドフック部材１４のスライドブロック１４ｂおよびこれに形成する雌ねじ１４ｄとしてナット１４Ｂが用いられてスライドフック部材１４のＵ字状の溝底部に溶接して取り付けてあり、スライドフック部材１４がキャップボルト１４ｃに替えて両側から六角ボルト１４Ｃでガイド用長穴１２ｃの外側からスライドおよび回動が可能となるように固定してある。
【００５９】
また、挟圧固定機構１５では、挟圧固定用ボルト１５ａの抜け落ち防止がスプリングピンによらず、先端部側の支持板１５ｃに雌ねじ１５Ｄを形成し、挟圧固定用ボルト１５ａの基端側に雄ねじを形成せず、中間部より先端部側に雄ねじを形成し、この雄ねじを支持板１５ｃの雌ねじ１５Ｄにねじ込むことで抜け止めとしてある。
【００６０】
さらに、レール固定用部材１６では、固定用板１６Ａの形状が矩形の上下に両側に突き出す突出部１６Ｂ、１６Ｃが一体に設けた形状としてある。
【００６１】
そして、分離操作機構１７を構成する構造物Ｂの内側から操作するボルト１７Ｃとして蝶ボルトに替えて六角ボルトが用いられ、このボルト１７Ｃがねじ込まれる雌ねじ１７Ｄがレール固定用部材１６の固定用板１６Ａの上側の突出部１６Ｂに形成してあり、この雌ねじ１７Ｄの両側にレール固定用部材１６をその取付部分を露出させて塗装などの作業を行うためスライド移動した後の状態でも反対側のボルト１７Ｃで固定できるように雌ねじ１７Ｅが形成してある。
【００６２】
また、この分離操作機構１７で分離した状態で取付ベース部材１１とレール固定用部材１６とを取り付けたり、スライド移動する場合のガイドのためガイド機構１８Ａとして固定用板１６Ａの下側の突出部１６Ｃに水平にガイド溝１８Ｃが形成してあり、このガイド溝１８Ｃ内を相対的に移動するガイドロッド１８Ｄがスタッドボルトで構成されて取付ベース部材１１に取り付けられ、ガイド溝１８Ｃの外側からスライドできる状態で緩くナット１８Ｅが取り付けてある。
【００６３】
なお、この仮設ガイドレール用固定装置１０Ａのスライドフック部材１４、挟圧固定機構１５、レール固定用部材１６、分離操作機構１７およびガイド機構１８のここで説明した以外の構成は、すでに説明した仮設ガイドレール用固定装置１０と同一である。
【００６４】
このような仮設ガイドレール用固定装置１０Ａによる仮設ガイドレールの設置は、すでに説明した仮設ガイドレール用固定装置１０と略同様に操作することで行うことができる。
【００６５】
一方、この仮設ガイドレール用固定装置１０Ａをスライド移動してその設置部分を露出させて塗装などの作業を行う場合には、取付ベース部材１１を挟圧固定している挟圧固定機構１５の挟圧固定用ボルト１５ａの先端部の操作部を構成する操作孔１５ｅに操作棒などの専用工具を挿してスライドフック部材１４を戻すように回転して弛め、固定フック部材１３とスライドフック部材１４による挟圧状態を解放する。
【００６６】
次に、分離操作機構１７の２本のボルト１７Ｃ，１７Ｃを回してレール固定用部材１６の固定用板１６Ａの雌ねじ１７Ｄ（通常仮設用）から外れるようにし、取付ベース部材１１とレール固定用部材１６との連結を分離する。
すると、レール固定用部材１６がガイド機構１８Ａのガイド溝１８Ｃにガイドロッド１８Ｄが緩く連結された状態となるとともに、レール固定用部材１６の固定用板１６Ａがガイドレール用金具１９を介してガイドレールＲ側に支持された状態となる。
【００６７】
この状態で、取付ベース部材１１側をベランダＢの外側突出壁部Ｂ１の上面に沿って横にスライドさせ、図９に示すように、未施工部分が露出するようにする。
そして、このスライド移動後、スライド移動した基端側（図９の右にスライドさせた場合の左端側）のスライド後固定用の雌ねじ１７Ｅに分離操作機構１７のボルト１７Ｃをねじ込んで固定状態とする。
これにより、スライド移動後もガイドレールＲのある程度の支持と、取付ベース１１側を完全に分離せずにある程度拘束した状態に保持でき、落下などを防止して安全性を向上することができる。
【００６８】
こうして取付ベース部材１１、固定フック部材１３およびスライドフック部材１４で覆われていた部分に必要な工事を行った後、スライド移動と逆の手順で取付ベース部材１１などを締め付け、レール固定用部材１６を連結することでガイドレールＲを仮設した状態に復旧することができる。この場合でも、レール固定用部材１６がガイド機構１８Ａのガイド溝１８Ｃ内をガイドロッド１８Ｄが相対的に移動することでガイドされ、スムーズに作業することができる。
【符号の説明】
【００６９】
Ｂ          ベランダ（構造物）
Ｂ１        外側突出壁部
Ｂ２        ベランダ柵
Ｒ          ガイドレール
１０        仮設ガイドレール用固定装置
１１        取付ベース部材
１２        ベース本体
１２ａ      水平板
１２ｂ      アーム板
１２ｃ      ガイド用長穴
１３        固定フック部材
１３ａ      垂直部
１３ｂ      水平部
１４        スライドフック部材
１４ａ      補強板
１４ｂ      スライドブロック
１４ｃ      キャップボルト
１４ｄ      雌ねじ
１５        挟圧固定機構
１５ａ      挟圧固定用ボルト
１５ｂ      挟圧固定用ナット（１４ｄ）
１５ｃ      支持板
１５ｄ      支持板
１５ｅ      操作部（操作孔）
１５ｆ      スプリングピン
１６        レール固定用部材
１６ａ      固定用板
１６ｂ      スタッドボルト
１６ｃ      切欠き部
１６ｄ      位置決め用突片
１６ｅ      ナット
１７        分離操作機構
１７ａ      支持板
１７ｂ      端板
１７ｃ      ボルト
１７ｄ      雌ねじ
１８        ガイド機構
１８ａ      上部ガイド部材
１８ｂ      下部ガイド部材
１８ｃ      ガイド溝
１９        ガイドレール用金具
１９ａ      締付け金具
１９ｂ      締付け金具
１９ｃ      ボルト
１０Ａ      仮設ガイドレール用固定装置
１４        スライドフック部材
１４Ｂ      ナット
１４Ｃ      六角ボルト
１５        挟圧固定機構
１５Ｄ      雌ねじ
１６        レール固定用部材
１６Ａ      固定用板
１６Ｂ      上部突出部
１６Ｃ      下部突出部
１７        分離操作機構
１７Ｃ      ボルト
１７Ｄ      雌ねじ
１７Ｅ      雌ねじ
１８Ａ      ガイド機構
１８Ｃ      ガイド溝
１８Ｄ      ガイドロッド
１８Ｅ      ナット
【図１】
0005771829.tif 000002
【図２】
0005771829.tif 000003
【図３】
0005771829.tif 000004
【図４】
0005771829.tif 000005
【図５】
0005771829.tif 000006
【図６】
0005771829.tif 000007
【図７】
0005771829.tif 000008
【図８】
0005771829.tif 000009
【図９】
0005771829.tif 000010
【図１０】
0005771829.tif 000011